【事件の表示】
　特願２０１１−１１８５７３「情報処理装置、情報処理方法およびコンピュータプログラム」拒絶査定不服審判事件〔平成２４年１２月１３日出願公開、特開２０１２−２４７９６０〕について、次のとおり審決する。
【結　論】
　本件審判の請求は、成り立たない。
【理　由】
第１　手続の経緯・本願発明
　本願は、平成２３年５月２７日の出願であって、平成２７年２月２６日付けで拒絶理由が通知され、同年４月２３日付けで手続補正がなされたが、同年７月１６日付けで拒絶の査定がなされ、これに対して、平成２７年９月２５日に拒絶査定不服審判の請求がなされるとともに、同時に手続補正がなされた。
　その後、当審において、平成２８年３月１６日付けで拒絶理由を通知し、応答期間内である同年５月１３日に意見書及び手続補正書が提出された。
　そして、本願の請求項１〜８に係る発明は、平成２８年５月１３日付けの手続補正で補正された特許請求の範囲の請求項１〜８に記載された事項により特定されるものと認められるところ、本願の請求項１に係る発明（以下、「本願発明」という。）は以下のとおりである。
「第１の状態における操作体の状態に基づいて推定される操作入力に対応する処理をバックグラウンドで実行し、
　前記第１の状態における操作体が第２の状態となったとき、バックグラウンドで実行した処理を用いて前記操作入力に対するフィードバック処理を実行するイベント処理部を備え、
　前記操作入力の内容に応じて異なる処理が対応付けられており、
　前記第１の状態における操作体の数または操作体の位置のうち少なくともいずれか一方に基づいて、前記操作入力の内容が推定され、
　前記イベント処理部は、前記第１の状態における操作体の状況に基づいて、バックグラウンドで実行する処理の対象範囲を決定する、情報処理装置。」
第２　先願及び先願発明
１．先願
　当審が平成２８年３月１６日付けで通知した拒絶理由（以下、「当審拒絶理由」という。）において、特許法第２９条の２の他の出願に該当するとして挙げたＰＣＴ／ＵＳ２０１１／０６７４１９（以下、「先願」という。）は、２０１０年（平成２２年）１２月２９日に米国に出願された米国特許出願１２／９８１１８４号（以下、「優先基礎出願」という。）を優先権主張の基礎とし、２０１１年（平成２３年）１２月２７日に国際出願され、２０１２年（平成２４年）７月５日に国際公開第２０１２／０９２２９１号として国際公開されたものであり、指定国として日本国を含み、特許法第１８４条の４第１項に規定する翻訳文が提出されたものである。
　先願の明細書及び図面は、優先基礎出願の明細書及び図面と一致し、先願の請求の範囲の請求項１〜１０に記載された事項は、優先基礎出願の請求の範囲の請求項１〜１８に記載された事項であるので、先願の明細書、請求の範囲又は図面（以下、「先願明細書等」という。）に記載された事項は、本件出願日の平成２３年５月２７日より前の２０１０年（平成２２年）１２月２９日を優先日とするものである。
　なお、優先基礎出願は、米国特許出願公開第２０１２／０１６９６４６号として公開されている。
２．先願明細書等に記載された発明
　先願明細書等には、図面とともに、次の（ａ）〜（ｅ）のとおりの記載がある。翻訳は、先願明細書等の日本語翻訳文である特表２０１４−５０５９３７号公報（以下、「公表公報」という。）を参照した。
（ａ） 1. A computing device, comprising: 
   a multi-touch sensitive display including a sensor configured to sense a position and/or movement of a user hand; 
   a graphical user interface displayed on the display, the graphical user interface having a state including a plurality of possible touch inputs; 
   a touch event prediction module configured to compute one or more anticipated touch inputs based on the sensed user hand position and/or movement, and the state of the user interface with the plurality of possible user inputs; and 
   a preprocessing module configured to generate preprocessed data for each anticipated touch input, and upon the detection of an actual touch input received from the user that matches one of the anticipated touch inputs, cause the preprocessed data for the actual touch input to be displayed on the graphical user interface. 」
（当審訳：１．
コンピュータデバイスであって、
  ユーザの手の位置及び／または動きを検出するように構成されているセンサを含むマルチタッチセンサ式ディスプレイと、
  前記ディスプレイ上に表示されるグラフィカルユーザインタフェースであって、複数の実行可能タッチ入力を含んでいる状態を有するグラフィカルユーザインタフェースと、
  前記検出されたユーザの手の位置及び／または動き、並びに前記複数の実行可能ユーザ入力に基づいて１または複数の予測タッチ入力を演算するように構成されたタッチイベント予測モジュールと、
  前記予測タッチ入力の各々に関する事前処理データを生成し、前記ユーザから受信した前記予測タッチ入力の１つと合致する実際のタッチ入力の検出において、前記実際のタッチ入力に対する前記事前処理データを前記グラフィカルユーザインタフェース上に表示させるように構成された事前処理モジュールと、
  を含むことを特徴とするコンピュータデバイス。
（ｂ）「 [0012] FIG. 1 illustrates one embodiment of a computing device 10 configured for anticipation of one or more touch events. As the user prepares to make a touch input, the user's hand 5 approaches a touch sensitive display 12 of the computing device 10. The touch sensitive display 12 is configured to sense the user hand 5 using various sensing technologies described below, even when the hand 5 is spaced apart from a top surface of the display by a gap 14. From the point of view of the display 12, the hand may appear to cast a sensed shadow 16 on the display 12. The computing device is configured to interpret the position and movement of the hand and make predictions of one or more anticipated touch inputs that are likely to occur, and then perform preprocessing to reduce latency when the user actually performs one of the anticipated touch inputs. As a result, the response time of the computing device to the anticipated touch inputs may be improved, enhancing the user experience with the computing device and enabling the user to finish computer tasks more quickly and resume interacting with others, for example. 
[0013] As shown in FIG. 2, computing device 10 typically includes a multi-touch sensitive display 12 including a sensor 18 configured to sense a hand position 20 and/or hand movement 22 of a user hand 5. In some embodiments, the sensor 18 may be configured to detect spaced apart input 46 indicating the position and/or movement of the hand when the hand is spaced apart a distance from a top surface of the display, as well as actual touch input 48 when the hand 5 is contacting the display 12. In some embodiments, sensor 18 may be configured to detect and distinguish between the position and movement of one or more digits of the hand, as well as the hand as a whole. Further, the sensor may be configured to detect the position or movements of a stylus held by the hand, and distinguish the stylus from the hand. 」
（当審訳：【０００７】 図１は、１または複数のタッチイベントの予測のために構成されたコンピュータデバイス１０の１つの実施形態を示している。ユーザがタッチ入力を行う用意をしている際に、ユーザの手５は、コンピュータデバイス１０のタッチセンサ式ディスプレイ１２に接近する。タッチセンサ式ディスプレイ１２は、以下に説明する様々な検出技術を用いて、
ユーザの手５がディスプレイの表面からギャップ１４だけ離間していてもユーザの手５を検出するように構成される。
コンピュータデバイスは、手の位置及び動きを解釈して、発生するであろう１または複数の予測されるタッチ入力（予測タッチ入力）の予測を生成し、その後、予測されたタッチ入力のうちの１つをユーザが実際に実行した際に遅延を減少するように事前処理を行うよう構成されている。
【０００８】 図２に示すように、コンピュータデバイス１０は、ユーザの手５の手の位置２０及び／または手の動き２２を検出するように構成されたセンサ１８を含むマルチタッチセンサ式ディスプレイ１２を通常含んでいる。いくつかの実施形態において、
センサ１８は、手５がディスプレイ１２に接触している場合の実際タッチ入力４８、及び同様に手がディスプレイの表面からある距離をもって離間している場合の手の位置及び／または動きを示す離間入力４６を検出するように構成されていてもよい。
センサ１８は、手全体と同様に、手の１または複数の指の位置及び動作を検出してそれらを区別するように構成されていてもよい。
（ｃ）「[0017] The computing device 10 further includes a touch event prediction module 40 stored on mass storage unit 24. Upon execution, the touch event prediction module 40 is configured to compute one or more anticipated touch inputs 42 based on the sensed user hand position 20 and/or hand movement 22, and the state 38 of the GUI 36 with the plurality of  possible user inputs. Typically, the touch event prediction module 40 computes the anticipated touch inputs 42 based on sensed hand position 20 and hand movement 22 from spaced apart input 46 of a hand that is spaced apart from the display 12 by a gap 14. 
[0018] The computing device 10 further includes a preprocessing module 44 stored on mass storage unit 24. The preprocessing module 44 is configured to generated preprocessed data 54 for each anticipated touch input 42. For example, the preprocessing module 44may be configured to preload data into a preload cache 50 to be displayed upon the realization of an anticipated touch event, and/or perform advance computations52 for an anticipated touch event. 
[0019] Upon the detection of an actual touch input 48 by the user from contact of the user hand with the display 12 that matches one of the anticipated touch inputs 48, the preprocessing module 44 is configured to cause the preprocessed data 54 to be displayed on the graphical user interface for the actual touch input 48. It will be appreciated that the actual touch event may be detected by the touch event prediction module in one embodiment, or by a separate gesture recognition module in other embodiments. The preprocessing module may cause the preprocessed data 54 to be displayed by, for example, communicating to the program 32 that the preprocessed data 54 is available, and enabling the program to retrieve and display the preprocessed data from a predetermined location after it is informed of the actual touch event by the touch event prediction module, or alternatively by the above-mentioned gesture recognition module. 」
（当審訳：【００１２】 コンピュータデバイス１０は、大容量記憶装置２４に保存されているタッチイベント予測モジュール４０をさらに含む。
実行の際に、タッチイベント予測モジュール４０は、検出されたユーザの手の位置２０及び／または手の動き２２、並びに複数の実行可能なユーザ入力を伴うＧＵＩ３６の状態３８に基づいて１または複数の予測タッチ入力４２を演算するように構成されている。通常、タッチイベント予測モジュール４０は、ディスプレイ１２からギャップ１４だけ離間している手の離間入力４６から、検出された手の位置２０及び手の動き２２に基づいて予測タッチ入力４２を演算する。
【００１３】コンピューティングデバイス１０は、大容量記憶装置２４に保存されている事前処理モジュール４４をさらに含んでいる。
事前処理モジュール４４は、予測タッチ入力４２の各々に対して事前処理データ５４を生成するように構成されている。例えば、事前処理モジュール４４は、予測されたタッチイベントの実現時に表示されるようにかつ／または予測タッチイベントに対する事前演算５２を実行するために、データをプリロードキャッシュ５０にプリロードするように構成されていてもよい。
【００１４】
ディスプレイ１２へのユーザの手の接触による、予測タッチ入力４８のうちの１つと合致するユーザによる実際のタッチ入力４８の検出の際に、事前処理モジュール４４は、実際のタッチ入力４８に対して事前処理データがグラフィカルユーザインタフェースに表示されるように構成されている。
（ｄ）「[0024] FIG. 4 illustrates computing device 10 with a second hand motion being presented spaced apart from and over the display 12 of the computing device 10. A finger of hand 5 is shown outstretched and moving left to right from a first position of the finger of the hand, shown at 5, to a second position of the finger of the hand, shown at 5A. Upon detecting this left to right movement of the outstretched finger, the touch event prediction module 40 may be configured to determine that the rightmost two icons are anticipated touch inputs 42, as indicated, since the index finger, being outstretched, is likely to do the selecting and has moved past the remaining possible inputs on the GUI 36. 
[0025] FIG. 5 illustrates computing device 10 with a third hand motion being presented spaced apart from and over the display 12 of the computing device 10. The hand 5 is shown with fingers curled downward toward the display and moving right to left from a first position of the hand, shown at 5, to a second position of the hand, shown at 5A. Upon detecting the hand stopped and hovering in this position, having previously moved right to left, the touch event prediction module 40 may be configured to determine that the hand is a left hand, that the index fingers and middle finger are the most likely fingers to engage in selecting icons, and that the index and middle fingers are positioned over the three icons indicated as anticipated touch inputs 42. The remaining possible inputs are out of reach for the index and middle finger. Accordingly, these remaining possible inputs are not determined to be anticipated touch inputs 42. 
[0026] FIG. 6 illustrates computing device 10 with a fourth hand motion being presented spaced apart from and over the display 12 of the computing device 10. In this view, an outstretched finger is approaching the display 12 orthogonally, into the page. The sensed shadow cast by the finger of the hand is shown as larger and more diffuse in a first position of the finger of the hand, shown at 5, and more sharp and smaller in a second position of the finger of the hand, shown at 5A. Upon detecting this orthogonal movement of the hand  toward the display, the touch event prediction module 40 may be configured to determine that only the icon directly under the second position of the hand is an anticipated touch input 42, as indicated, since it is unlikely that any of the other possible inputs will be selected. 」
（当審訳：【００１９】 図４には、コンピュータデバイス１０のディスプレイ１２から離間してディスプレイ１２上に表されている第２の手の動きとともにコンピュータデバイス１０が示されている。
手５の指は、伸びておりかつ左から右へ、５で示されている手の指の第１の位置から５Ａで示されている手の指の第２の位置へ移動しているように示されている。
伸びている人差し指が一番右の２つのアイコンを選択する可能性が高くかつＧＵＩ３６上の残りの実行可能な入力を通り過ぎて動いたために、図示されているように、タッチイベント予測モジュール４０を、一番右の２つのアイコンが予測タッチ入力４２であると判定するように構成する
【００２０】 図５には、コンピュータデバイス１０のディスプレイ１２から離間してディスプレイ１２上に表されている第３の手の動きとともにコンピュータデバイス１０が示されている。手
５は、ディスプレイに向かって下方に曲げられ、右から左へ、５に示されている第１の位置から５Ａに示されている第２の位置まで移動しているように示されている。
人差し指及び中指が選択アイコンに関与する可能性が高く、人差し指と中指が予測タッチ入力４２として示される３つのアイコン上に配されていることを判定するように構成できる。
【００２１】 図６には、コンピュータデバイス１０のディスプレイ１２から離間してディスプレイ１２上に表されている第４の手の動きとともにコンピュータデバイス１０が示されている。この図において
、伸びた指はディスプレイ１２に、紙面に対して垂直に接近している。
ディスプレイに対する手のこの垂直な移動の検出において、他の実行可能なユーザ入力が選択される可能性が低いために、図示されているように、タッチイベント予測モジュール４０を、手の第２の位置の直下のアイコンのみが予測タッチ入力４２であると判定する
（ｅ）「[0030] As indicated at 106, sensing a position and/or movement of a user hand may further include detecting the position and/or movement of the hand when the hand is spaced apart a distance from a top surface of the display. Further, as indicated at 108, sensing a position and/or movement of a user hand may further include detecting a position and movement of one or more  digits of the hand. This may enable the method to distinguish the difference between right and left hands, and between the individual digits a hand, which may be useful in determining the position and expected movement of the index and middle finger, which may be deemed most likely to perform touch input. Further, in some embodiments, as indicated at 110, sensing a position and/or movement of a user hand may further include detecting a position or movement of a stylus held by the hand, which may be used to more precisely predict the anticipated inputs.」
（当審訳：【００２５】 符号１０６において示されているように、
ユーザの手の位置及び／または動きの検出は、手がディスプレイの表面からある距離離間している場合における、手の位置及び／または動きの検出をさらに含むことができる。さらに、符号１０８において示されているように、ユーザの手の位置及び／または動きの検出は、１または複数の手の指の位置及び動きの検出をさらに含むことができる。これは、本方法において、右手と左手の間の差異、手の個々の指の間の差異を区別することを可能にすることができ、この方法は、人差し指と中指の位置及び予測される動きを判定する場合に有用であり、タッチ入力を実行する可能性が最も高いと見なすことができる。
　ここで、先願明細書等の請求項１（公表公報の請求項１）の記載によれば、先願明細書等には、
　「コンピュータデバイスであって、
　ユーザの手の位置及び／または動きを検出するように構成されているセンサを含むマルチタッチセンサ式ディスプレイと、
　前記ディスプレイ上に表示されるグラフィカルユーザインタフェースであって、複数の実行可能タッチ入力を含んでいる状態を有するグラフィカルユーザインタフェースと、
　前記検出されたユーザの手の位置及び／または動き、並びに前記複数の実行可能ユーザ入力に基づいて１または複数の予測タッチ入力を演算するように構成されたタッチイベント予測モジュールと、
　前記予測タッチ入力の各々に関する事前処理データを生成し、前記ユーザから受信した前記予測タッチ入力の１つと合致する実際のタッチ入力の検出において、前記実際のタッチ入力に対する前記事前処理データを前記グラフィカルユーザインタフェース上に表示させるように構成された事前処理モジュールとを備えた、
　コンピュータデバイス。」が記載されている。
　また、先願明細書等の段落［0012］，［0013］（公表公報の段落【０００７】，【０００８】）の記載によれば、上記先願明細書等の請求項１でいう「ユーザの手」は、「ユーザの手の１または複数の指」であってもよいものであり、その場合について見れば、上記請求項１でいう「センサ」は、ユーザの手の指がディスプレイに接触している場合のタッチ入力と、ディスプレイ表面からある距離をもって離間している場合の手の指の位置、動きを示す離間入力を検出することができるものである。
　また、それを踏まえ、先願明細書等の段落［0012］（公表公報の段落【０００７】）の記載を参酌すると、上記請求項１でいう予測タッチ入力とは、手の指の位置及び動きを解釈して生成される、発生するであろう１または複数の予測されるタッチ入力の予測であり得るものである。
　また、同様に、先願明細書等の段落［0017］（公表公報の段落【００１２】）の記載を参酌すれば、上記請求項１でいうタッチイベント予測モジュールは、ディスプレイから離間している手の指の離間入力により検出された手の指の位置及び手の指の動きと、複数の実行可能なユーザ入力を伴うＧＵＩの状態に基づいて１または複数の予測タッチ入力を演算するものであり得るものである。
　また、先願明細書等の段落［0024］,［0025］,［0030］（公表公報の段落【００１９】，【００２０】，【００２５】）の記載によれば、上記タッチイベント予測モジュールは、ディスプレイから離間した状態で、指の状態と動きとに基づいて、ユーザの手の指のうち、人差し指か、人差し指と中指とがグラフィカルインターフェイス上のアイコンの選択に関与する可能性が高いかを判断し、人差し指の位置と動き、又は、人差し指と中指の位置と動きに基づいて、グラフィカルユーザインターフェイス上の選択可能性の高い１、又は複数のアイコンを予測タッチ入力であると判定するものであり得るものである。
　以上によれば、先願明細書等には、
「コンピュータデバイスであって、
　ユーザの手の複数の指の位置及び動作を検出でき、ユーザの手の指がディスプレイに接触している場合のタッチ入力と、ディスプレイ表面からある距離をもって離間している場合の手の指の位置、動きを示す離間入力を検出するセンサを含む含むマルチタッチセンサ式ディスプレイと、
　前記ディスプレイ上に表示されるグラフィカルユーザインタフェースであって、複数の実行可能タッチ入力を含んでいる状態を有するグラフィカルユーザインタフェースと、
　ディスプレイから離間している手の指の離間入力により検出された手の指の位置及び手の指の動きと、複数の実行可能なユーザ入力を伴うＧＵＩの状態に基づいて、発生するであろう１または複数の予測される予測タッチ入力を演算するように構成されたタッチイベント予測モジュールと、
　前記予測タッチ入力の各々に関する事前処理データを生成し、前記ユーザから受信した前記予測タッチ入力の１つと合致する実際のタッチ入力の検出において、前記実際のタッチ入力に対する前記事前処理データを前記グラフィカルユーザインタフェース上に表示させるように構成された事前処理モジュールと、を備え、
　前記予測タッチイベント予測モジュールは、ディスプレイから離間した状態で、指の状態と動きとに基づいて、ユーザの手の指のうち、人差し指か、人差し指と中指とがグラフィカルインターフェイス上のアイコンの選択に関与する可能性が高いかを判断し、人差し指の位置と動き、又は、人差し指と中指の位置と動きに基づいて、グラフィカルユーザインターフェイス上の選択可能性の高い１、又は複数のアイコンを予測タッチ入力であると判定する、
　コンピュータデバイス。」の発明（以下、「先願発明」という。）
第３　対比・判断
　本願発明と先願発明とを対比する。
（１）先願発明の「コンピュータデバイス」は、「情報処理装置」ともいい得るものであることは明らかである。
（２）先願発明の「ユーザの手の指」、「ユーザの手の指」が「ディスプレイ表面からある距離をもって離間している場合」、「ユーザの手の指」が「ディスプレイに接触している場合」が、それぞれ、本願発明の「操作体」、「第１の状態」、「第２の状態」に相当するものである。
（３）先願発明の「ディスプレイから離間している手の指の離間入力により検出された手の指の位置及び手の指の動きと、複数の実行可能なユーザ入力を伴うＧＵＩの状態に基づいて、発生するであろう１または複数の予測される予測タッチ入力」は、本願発明の「第１の状態における操作体の状態に基づいて推定される操作入力」に相当する。
（４）先願発明の「事前処理モジュール」は、「予測タッチ入力の各々に関する事前処理データを作成する」ものであり、実際のタッチ入力が行われるまでは、グラフィカルインターフェイス上には表示されないから、事前処理データの作成はバックグラウンドで処理されているといえる。
　よって、先願発明の「タッチイベント予測モジュール」と「事前処理モジュール」は、本願発明の「第１の状態における操作体の状態に基づいて推定される操作入力に対応する処理をバックグラウンドで実行」に相当する構成を有している。
（５）先願発明の「事前処理モジュール」は、「前記予測タッチ入力の各々に関する事前処理データを生成し、前記ユーザから受信した前記予測タッチ入力の１つと合致する実際のタッチ入力の検出において、前記実際のタッチ入力に対する前記事前処理データを前記グラフィカルユーザインタフェース上に表示させる」から、本願発明の「第１の状態における操作体が第２の状態となったとき、バックグラウンドで実行した処理を用いて前記操作入力に対するフィードバック処理を実行する」に相当する構成を有している。
（６）先願発明の予測タッチ入力は、複数の実行可能タッチ入力を含んでいる状態を有するグラフィカルユーザインタフェースのうちの選択可能性の高い１又は複数のアイコンに対する操作入力であり、推定された１又は複数のアイコンには、各々のアイコンに応じて異なる処理が対応付けられていることは自明の事項であるから、先願発明も「操作入力の内容に応じて異なる処理が対応付けられる」ものである。
（７）先願発明の「タッチイベント予測モジュール」は、「ディスプレイから離間した状態で、指の状態と動きとに基づいて、ユーザの手の指のうち、人差し指か、人差し指と中指とがグラフィカルインターフェイス上のアイコンの選択に関与する可能性が高いかを判断し、人差し指の位置と動き、又は、人差し指と中指との位置と動きに基づいて、グラフィカルユーザインターフェイス上の選択可能性の高い１、又は複数のアイコンを予測タッチ入力であると判定する」から、ディスプレイから離間している状態の指の数と位置に基づいて、どのアイコンが選択される可能性が高いかという「操作入力の内容」を推定している。よって、先願発明の「タッチイベント予測モジュール」は、本願発明の「前記第１の状態における操作体の数または操作体の位置のうち少なくともいずれか一方に基づいて、前記操作入力の内容が推定され」に相当する構成を有している。
（８）先願発明の「タッチイベント予測モジュール」は、「ディスプレイから離間した状態で、指の状態と動きとに基づいて、グラフィカルユーザインターフェイス上の選択可能性の高い１、又は複数のアイコンを予測タッチ入力と判定」し、「事前処理モジュール」は、「予測タッチ入力」とされた入力の各々に関する事前処理データを生成するから、先願発明の「選択可能性の高い１、又は複数のアイコンに関する事前処理データを生成すること」が、本願発明の「前記第１の状態における操作体の状況に基づいて、バックグラウンドで実行する処理の対象範囲を決定する」ことに相当する。
（９）上記（３）〜（８）によれば、先願発明の「タッチイベント予測モジュール」と「事前処理モジュール」とが協働したものが、本願発明の「イベント処理部」に相当するものであるといえる。
　以上、（１）〜（９）によれば、本願発明と先願発明との間に相違はなく、本願発明は先願発明と同一であるから、特許法第２９条の２の規定により、特許を受けることができない。
　
（１０）意見書における請求人の主張
　請求人は、平成２８年５月１３日付けの意見書において、当審拒絶理由に対して、次のア．の主張をしているが、下記イ．のとおり、採用できないものである。
ア．補正後の請求項１に係る発明では、操作入力の内容に応じて異なる処理が対応付けられており、第１の状態における操作体の数または操作体の位置のうち少なくともいずれか一方に基づいて操作入力が推定されます。
　補正後の請求項１に記載の発明において推定しようとしている操作入力は、検出面に対して操作体が近接することで入力があることを判定するようなものではなく、例えば、検出面に対する空間領域での手や指の位置や形状、動きといったものです。これにより、例えば、第１の状態での指の数が１本の場合にはタップ操作であり、２本の場合には指の距離に基づきピンチイン操作またはピンチアウト操作である、というように、より細かな操作入力の内容まで推定することができます。
　先願明細書等の段落［００２４］、［００２５］（公表公報の段落００１９、００２０）には、ディスプレイから離間した状態で、指が１本の場合と２本の場合とで、その位置、動きに基づいて、選択可能性の高い１又は複数のアイコンを予測タッチ入力として予測することが記載されていますが、手の状態（指の曲げ伸ばし、移動方向等）が異なっても行われる処理は予測タッチ入力の１つだけであり、補正後の請求項１に記載の発明のように、タップ操作やピンチアウト操作、ピンチイン操作等の操作入力の内容を推定して、それに応じた処理をバックグラウンドで実行するというものではありません。
イ．本願の請求項１には「操作入力の内容に応じて異なる処理が対応付けられており」、「第１の状態における操作体の数または操作体の位置のうち少なくともいずれか一方に基づいて、前記操作入力の内容が推定され」と記載されているが、「操作入力の内容」が、「タップ操作」、「ピンチイン操作」、「ピンチアウト操作」であることは特定されておらず、そのように限定的に解釈することはできない。
　本願発明の「操作入力の内容」は、その文言と本願請求項１の文脈上、「「操作入力の内容」といい得るものであって、その内容に応じて「異なる処理が対応付けられ」、「第１の状態における操作体の数はまたは操作体の位置のうち少なくとも一方」に基づいてその内容が推定されるもの」全般を含むものといわざるを得ないが、上記（６），（７）で検討したところによれば、先願発明の「予測タッチ入力」の内容も、上記「「操作入力の内容」といい得るものであって、その内容に応じて「異なる処理が対応付けられ」、「第１の状態における操作体の数または操作体の位置のうち少なくとも一方」に基づいてその内容が推定されるもの」に該当する。
　よって、請求人の主張は、特許請求の範囲の記載に基づかない主張であり、採用できない。
第４　むすび
　以上のとおりであるから、この出願の請求項１に係る発明は、本願出願日（平成２３年５月２７日）より前を優先日（２０１０年（平成２２年）１２月２９日、米国）とする外国語でされた国際特許出願（ＰＣＴ／ＵＳ２０１１／０６７４１９）であって、本願出願日後の２０１２年（平成２４年）７月５日に国際公開（国際公開第２０１２／０９９２２９１号）され、その後、特許法第１８４条の４第１項に規定する翻訳文が提出された国際特許出願の国際出願日における明細書、請求の範囲又は図面に記載された発明と同一であり、しかも、この出願の発明者が上記国際特許出願に係る上記の発明をした者と同一ではなく、またこの出願の時において、その出願人が上記国際特許出願の出願人と同一でもないので、特許法第１８４条の１３で読み替えて適用する特許法第２９条の２の規定により特許を受けることができない。
　したがって、本願は、他の請求項について検討するまでもなく、拒絶されるべきものである。
　よって、結論のとおり審決する。